(57)【要約】      （修正有）【課題】ＬＴＥ−Ａシステムに基づく分散アンテナシステムでダウンリンクの干渉を測定する。【解決手段】方法は、端末に対するチャンネル状態を測定するための第１情報と、端末に対する干渉を測定するための第２情報とを含むメッセージを端末に伝送する段階と、第１情報によって第１基準信号を端末に伝送する段階と、第１情報と第２情報によって測定されたチャンネル状態及び干渉に基づいてチャンネル状態情報を端末から受信する段階とを含む。第１情報は、チャンネル状態測定のためのゼロではない伝送電力の第１基準信号と関連がある。第２情報は、干渉測定のためのゼロ伝送電力の第１基準信号と関連があり、干渉を測定するためのリソース情報を含む。干渉を測定するためのリソース情報は、予め定められているパターンのうち１つである。【選択図】図８
2018101983.tif 000002
【特許請求の範囲】
【請求項１】
無線通信システムにおける基地局のダウンリンク干渉測定方法であって、
端末に対するチャンネル状態を測定するための第１情報と、前記端末に対する干渉を測定するための第２情報とを含むメッセージを前記端末に伝送する段階と、
前記第１情報によって第１基準信号を前記端末に伝送する段階と、
前記第１情報と前記第２情報によって測定された前記チャンネル状態及び干渉に基づいてチャンネル状態情報を前記端末から受信する段階とを含み、
前記第１情報は、チャンネル状態測定のためのゼロではない伝送電力の第１基準信号と関連があり、前記第２情報は、干渉測定のためのゼロ伝送電力の第１基準信号と関連があり、
前記第２情報は、干渉を測定するためのリソース情報を含み、前記干渉を測定するためのリソース情報は、予め定められているパターンのうち１つである
ことを特徴とする干渉測定方法。
【請求項２】
前記第１情報は、前記端末に対するチャンネル状態測定のためのリソース情報と、伝送周期情報及びアンテナポート情報とを含む
ことを特徴とする、請求項１に記載の干渉測定方法。
【請求項３】
万一、前記チャンネル状態を測定するためのリソース情報によるリソースと前記干渉を測定するためのリソース情報によるリソースが一部重複する場合、前記重複するリソースにおいてはチャンネル状態が測定される
ことを特徴とする、請求項２に記載の干渉測定方法。
【請求項４】
前記干渉を測定するためのリソース情報は、２つのリソース要素ペア（ｐａｉｒ）を指示し、それぞれのリソース要素ペアは、２つの連続的なリソース要素である
ことを特徴とする、請求項１に記載の干渉測定方法。
【請求項５】
前記メッセージは、上位階層シグナリングを介して伝送される
ことを特徴とする、請求項１に記載の干渉測定方法。
【請求項６】
無線通信システムにおいてダウンリンク干渉を測定する基地局であって、
端末と信号を送受信する無線通信部と、
前記端末に対するチャンネル状態を測定するための第１情報と、前記端末に対する干渉を測定するための第２情報とを含むメッセージを前記端末に伝送し、前記第１情報によって第１基準信号を前記端末に伝送し、前記第１情報と前記第２情報によって測定された前記チャンネル状態及び干渉に基づいてチャンネル状態情報を前記端末から受信するように制御する制御器とを含み、
前記第１情報は、チャンネル状態測定のためのゼロではない伝送電力の第１基準信号と関連があり、前記第２情報は、干渉測定のためのゼロ伝送電力の第１基準信号と関連があり、
前記第２情報は、干渉を測定するためのリソース情報を含み、前記干渉を測定するためのリソース情報は、予め定められているパターンのうち１つである
ことを特徴とする基地局。
【請求項７】
前記第１情報は、前記端末に対するチャンネル状態測定のためのリソース情報と、伝送周期情報及びアンテナポート情報とを含む
ことを特徴とする、請求項６に記載の基地局。
【請求項８】
万一、前記チャンネル状態を測定するためのリソース情報によるリソースと前記干渉を測定するためのリソース情報によるリソースが一部重複する場合、前記重複するリソースにおいてはチャンネル状態が測定される
ことを特徴とする、請求項７に記載の基地局。
【請求項９】
前記干渉を測定するためのリソース情報は、２つのリソース要素ペア（ｐａｉｒ）を指示し、それぞれのリソース要素ペアは、２つの連続的なリソース要素である
ことを特徴とする、請求項６に記載の基地局。
【請求項１０】
前記メッセージは、上位階層シグナリングを介して伝送される
ことを特徴とする、請求項６に記載の基地局。
【請求項１１】
無線通信システムにおける端末のダウンリンク干渉測定方法であって、
基地局から前記端末に対するチャンネル状態を測定するための第１情報と、前記端末に対する干渉を測定するための第２情報とを含むメッセージを受信する段階と、
前記第１情報によって第１基準信号を受信する段階と、
前記受信された第１情報と第２情報によって測定された前記チャンネル状態及び干渉に基づいて生成されたチャンネル状態情報を前記基地局へ伝送する段階とを含み、
前記第１情報は、チャンネル状態測定のためのゼロではない伝送電力の第１基準信号と関連があり、  前記第２情報は、干渉測定のためのゼロ伝送電力の第１基準信号と関連があり、
前記第２情報は、干渉を測定するためのリソース情報を含み、前記干渉を測定するためのリソース情報は、予め定められているパターンのうち１つである
ことを特徴とする干渉測定方法。
【請求項１２】
前記第１情報は、前記端末に対するチャンネル状態測定のためのリソース情報と、伝送周期情報及びアンテナポート情報とを含む
ことを特徴とする、請求項１１に記載の干渉測定方法。
【請求項１３】
万一、前記チャンネル状態を測定するためのリソース情報によるリソースと前記干渉を測定するためのリソース情報によるリソースが一部重複する場合、前記重複するリソースにおいてはチャンネル状態が測定される
ことを特徴とする、請求項１２に記載の干渉測定方法。
【請求項１４】
前記干渉を測定するためのリソース情報は、２つのリソース要素ペア（ｐａｉｒ）を指示し、それぞれのリソース要素ペアは、２つの連続的なリソース要素である
ことを特徴とする、請求項１１に記載の干渉測定方法。
【請求項１５】
前記メッセージは、上位階層シグナリングを介して伝送される
ことを特徴とする、請求項１１に記載の干渉測定方法。
【請求項１６】
無線通信システムにおいてダウンリンク干渉を測定する端末であって、
基地局と信号を送受信する無線通信部と、
前記基地局から前記端末に対するチャンネル状態を測定するための第１情報と、前記端末に対する干渉を測定するための第２情報とを含むメッセージを受信し、前記第１情報によって第１基準信号を受信し、前記受信された第１情報と第２情報によって測定された前記チャンネル状態及び干渉に基づいて生成されたチャンネル状態情報を前記基地局へ伝送するように制御する制御器とを含み、
前記第１情報は、チャンネル状態測定のためのゼロではない伝送電力の第１基準信号と関連があり、  前記第２情報は、干渉測定のためのゼロ伝送電力の第１基準信号と関連があり、
前記第２情報は、干渉を測定するためのリソース情報を含み、前記干渉を測定するためのリソース情報は、予め定められているパターンのうち１つである
ことを特徴とする端末。
【請求項１７】
前記第１情報は、前記端末に対するチャンネル状態測定のためのリソース情報と、伝送周期情報及びアンテナポート情報とを含む
ことを特徴とする、請求項１６に記載の端末。
【請求項１８】
万一、前記チャンネル状態を測定するためのリソース情報によるリソースと前記干渉を測定するためのリソース情報によるリソースが一部重複する場合、前記重複するリソースにおいてはチャンネル状態が測定される
ことを特徴とする、請求項１７に記載の端末。
【請求項１９】
前記干渉を測定するためのリソース情報は、２つのリソース要素ペア（ｐａｉｒ）を指示し、それぞれのリソース要素ペアは、２つの連続的なリソース要素である
ことを特徴とする請求項１６に記載の端末。
【請求項２０】
前記メッセージは、上位階層シグナリングを介して伝送される
ことを特徴とする、請求項１６に記載の端末。
【発明の詳細な説明】
【技術分野】
【０００１】
本発明は、複数個の基地局が存在する移動通信システムにおいてダウンリンクで効果的な通信のために端末で干渉測定を実行する方法を提案する。
【背景技術】
【０００２】
移動通信システムは、初期の音声中心のサービスの提供から脱してデータサービス及びマルチメディアサービス提供のために高速、ハイクオリティーの無線パケットデータ通信システムへ発展しつつある。近年、３ＧＰＰのＨＳＤＰＡ（Ｈｉｇｈ Ｓｐｅｅｄ Ｄｏｗｎｌｉｎｋ Ｐａｃｋｅｔ Ａｃｃｅｓｓ）、ＨＳＵＰＡ（Ｈｉｇｈ Ｓｐｅｅｄ Ｕｐｌｉｎｋ Ｐａｃｋｅｔ Ａｃｃｅｓｓ）、ＬＴＥ（Ｌｏｎｇ Ｔｅｒｍ Ｅｖｏｌｕｔｉｏｎ）、ＬＴＥ−Ａ （Ｌｏｎｇ Ｔｅｒｍ Ｅｖｏｌｕｔｉｏｎ Ａｄｖａｎｃｅｄ）、３ＧＰＰ２のＨＲＰＤ（Ｈｉｇｈ Ｒａｔｅ Ｐａｃｋｅｔ Ｄａｔａ）、及びＩＥＥＥの８０２．１６等の多様な移動通信標準が高速、ハイクオリティーの無線パケットデータ送信サービスをサポートするために開発された。特に、ＬＴＥシステムは高速無線パケットデータ送信を効率的にサポートするために開発されたシステムで、多様な無線接続技術を活用して無線システム容量を最大化する。ＬＴＥ−Ａシステムは、ＬＴＥシステムの進歩された無線システムで、ＬＴＥと比べて向上したデータ送信能力を有している。
【０００３】
前記ＬＴＥは、一般的に３ＧＰＰ標準単体のＲｅｌｅａｓｅ８または９に該当する基地局及び端末装備を意味し、ＬＴＥ−Ａは３ＧＰＰ標準単体のＲｅｌｅａｓｅ１０に該当する基地局及び端末装備を意味する。３ＧＰＰ標準単体ではＬＴＥ−Ａシステムの標準化以後にもこれに基づいて向上した性能を有する後続Ｒｅｌｅａｓｅに対する標準化を進行している。
【０００４】
一方、一般的にセルラ無線移動通信システムは、限定された地域に複数個のセルを構築することによってなる。各セルには当該セル内での移動通信を専担する基地局装備がセル領域のうちに位置する。前記基地局装備としては無線信号を送信するアンテナ及び信号処理部分がありセルの中央でセル内の端末に移動通信サービスを提供する。このようにアンテナがセルの中央に設置されるシステムは中央集中型アンテナシステム（Ｃｅｎｔｒａｌｉｚｅｄ Ａｎｔｅｎｎａ Ｓｙｓｔｅｍ：ＣＡＳ）といい、一般的な移動通信システムがこの形態である。これと対比されるシステムとしては分散アンテナシステム（Ｄｉｓｔｒｉｂｕｔｅｄ Ａｎｔｅｎｎａ Ｓｙｓｔｅｍ：ＤＡＳ）があり、ＤＡＳの場合、アンテナをセルのサービス領域に均等に分散することによってＣＡＳと対比して向上した移動通信サービスを提供することができる。
【先行技術文献】
【非特許文献】
【０００５】
【非特許文献１】Renesas Mobile Europe Ltd,et al.，Correction on overlapping non-zero-power and zero-power CSI-RS configurations[online]，  3GPP TSG-RAN WG1#65    R1-111559
【発明の概要】
【発明が解決しようとする課題】
【０００６】
ところが、前記分散アンテナシステムで基地局と端末の間の干渉を効果的に測定することができる方法に対する研究が不足な実情である。
【課題を解決するための手段】
【０００７】
本発明の目的は、ＬＴＥ−Ａシステムに基づく分散アンテナシステムでダウンリンクの干渉（ｉｎｔｅｒｆｅｒｅｎｃｅ）を測定する方法及び装置を提供することにある。
【０００８】
本発明の一実施形態による本発明の直交周波数分割多元接続移動通信システムに基づく分散アンテナシステムにおいて、基地局のダウンリンク干渉測定方法は、端末に対する少なくても一つ以上の受信アンテナグループ、及び前記受信アンテナグループから送信される信号の強度を測定するためのチャンネル状態情報基準信号（ＣＳＩ−ＲＳ）を決定する段階と、前記受信アンテナグループに対するセル間干渉またはイントラセル干渉のうちの少なくとも一つを測定するための干渉測定情報を決定する段階と、前記チャンネル状態情報基準信号の強度及び干渉測定情報を端末に通知する段階と、及び前記干渉測定情報によって測定された干渉情報を含むチャンネル状態情報を前記端末から受信する段階と、を含むことを特徴とする。
【０００９】
本発明の他の実施形態による本発明の直交周波数分割多元接続移動通信システムに基づく分散アンテナシステムにおいて、ダウンリンク干渉を測定する基地局は、端末と信号を送受信する無線通信部、及び前記端末に対する少なくても一つ以上の受信アンテナグループ、及び前記受信アンテナグループから送信される信号の強度を測定するためのチャンネル状態情報基準信号（ＣＳＩ−ＲＳ）を決定し、前記受信アンテナグループに対するセル間干渉またはイントラセル干渉のうちの少なくとも一つを測定するための干渉測定情報を決定し、前記チャンネル状態情報基準信号の強度及び干渉測定情報を端末に通知し、前記干渉測定情報によって測定された干渉情報を前記端末から受信するように制御する制御器を含むことを特徴とする。
【００１０】
本発明の他の実施形態による本発明の直交周波数分割多元接続移動通信システムに基づく分散アンテナシステムにおいて、端末のダウンリンク干渉測定方法は、基地局から前記端末の受信アンテナグループに対するセル間干渉またはイントラセル干渉のうちの少なくとも一つを測定するための干渉測定情報を受信する段階、及び前記受信された干渉測定情報を利用して干渉を測定する段階、及び前記測定された干渉を利用してチャンネル状態情報を生成して前記基地局へ送信する段階を含むことを特徴とする。
【００１１】
本発明の一実施形態による本発明の直交周波数分割多元接続移動通信システムに基づく分散アンテナシステムにおいて、ダウンリンク干渉を測定する端末は、基地局と信号を送受信する無線通信部及び前記基地局から前記端末の受信アンテナグループに対するセル間干渉またはイントラセル干渉のうちの少なくとも一つを測定するための干渉測定情報を受信し、前記受信された干渉測定情報を利用して干渉を測定し、前記測定された干渉を利用してチャンネル状態情報を生成して前記基地局へ送信するように制御する制御器を含むことを特徴とする。
【００１２】
本発明によれば、分散アンテナシステムでも基地局と端末の間のセル間干渉及びイントラセル干渉を効果的に測定することができる。
【図面の簡単な説明】
【００１３】
【図１】ＬＴＥ／ＬＴＥ−Ａシステムで時間及び周波数リソースを示した図面である。
【図２】ＬＴＥ／ＬＴＥ−Ａシステムでダウンリンクでスケジューリングできる最小単位である１サブフレーム及び１ＲＢの無線リソースを示した図面である。
【図３】一般的な分散アンテナシステムでアンテナの分散した位置への配置を示した図面である。
【図４】分散アンテナシステムで各アンテナグループ別で互いに異なる端末に送信を実行する場合、どんなに干渉現象が発生するかどうかを示した図面である。
【図５】ＣＲＳが遅延ドメイン（ｄｅｌａｙ ｄｏｍａｉｎ）信号に変換されたことを示した図面である。
【図６】本発明の実施形態によるＣＳＩ−ＲＳを活用した干渉測定方法の動作を説明するための図面である。
【図７】本発明の実施形態による干渉測定方法を示した図面である。
【図８】本発明の実施形態による分散アンテナシステムで干渉測定を実行するにあたり基地局の作動手順を示したフローチャートである。
【図９】本発明の実施形態による分散アンテナシステムで干渉測定を実行するにあたり端末の作動手順を示したフローチャートである。
【図１０】本発明の実施形態による干渉測定のための基地局の内部構造を示したブロック図である。
【図１１】本発明の実施形態による干渉測定のための端末の内部構造を示したブロック図である。
【発明を実施するための形態】
【００１４】
以下、本発明の実施形態を添付した図面と共に詳しく説明する。また、本発明を説明するにあたり関連する公知機能、或いは構成に対する具体的な説明が本発明の要旨を不必要にすると判断された場合、その詳細な説明は省略する。さらに、後述される用語は本発明における機能を考慮して定義された用語として、これはユーザ、運用者の意図または慣例などによって変わることができる。よって、その定義は本明細書全般にかけた内容に基づくべきである。
【００１５】
また、本発明の実施形態を具体的に説明するにあたり、ＯＦＤＭに基づく無線通信システム、特に３ＧＰＰ ＥＵＴＲＡ標準を主な対象とするが、本発明の主な要旨は類似の技術的背景及びチャンネル形態を有するその他の通信システムにも本発明の範囲を大きく外れない範囲で少しの変形で適用可能であり、これは本発明の技術分野で熟練された技術的知識を有する者の判断で可能であろう。
【００１６】
ＨＳＤＰＡ、ＨＳＵＰＡ、ＨＲＰＤ、ＬＴＥ／ＬＴＥ−Ａなどの現存する３世代及び４世代無線パケットデータ通信システムは、送信効率を改善するために適応変調及び符号（Ａｄａｐｔｉｖｅ Ｍｏｄｕｌａｔｉｏｎ ａｎｄ Ｃｏｄｉｎｇ、以下、「ＡＭＣ」）方法とチャンネル感応スケジューリング方法などの技術を利用する。前記のＡＭＣ方法を活用すれば送信機はチャンネル状態によって送信するデータの量を調節することができる。即ち、チャンネル状態が不良であれば送信するデータの量を減らして受信間エラー確率を望む水準に合わせて、チャンネル状態が良ければ送信するデータの量を増やして受信間エラー確率は望む水準に合わせながらも多くの情報を効果的に送信することができる。
【００１７】
前記のチャンネル感応スケジューリングリソース管理方法を活用すると、送信機は多くのユーザのうちでチャンネル状態が優れたユーザを選択的にサービスするから１つのユーザにチャンネルを割り当ててサービスすることに比べてシステム容量が増加する。このような容量増加をいわゆるマルチユーザダイバーシティ（Ｍｕｌｔｉ−ｕｓｅｒ Ｄｉｖｅｒｓｉｔｙ）利得と言う。要すれば、前記のＡＭＣ方法とチャンネル感応スケジューリング方法は受信機から部分的なチャンネル状態情報のフィードバック（ｆｅｅｄｂａｃｋ）を受けて最も効率的と判断される時点に適切な変調及び符号技法を適用する方法である。
【００１８】
前記のようなＡＭＣ方法は、ＭＩＭＯ（Ｍｕｌｔｉｐｌｅ Ｉｎｐｕｔ Ｍｕｌｔｉｐｌｅ Ｏｕｔｐｕｔ）送信方式と共に使用される場合、送信される信号のｓｐａｔｉａｌ ｌａｙｅｒの個数またはランク（ｒａｎｋ）を決定する機能も含むことができる。この場合、ＡＭＣ方法は最適のｄａｔａ ｒａｔｅを決定するのに単純に符号化率と変調方式のみを思わせずＭＩＭＯを利用して幾つのｌａｙｅｒで送信するかも考慮する。
【００１９】
近年。２世代と３世代移動通信システムで使用された多重接続方式であるＣＤＭＡ（Ｃｏｄｅ Ｄｉｖｉｓｉｏｎ Ｍｕｌｔｉｐｌｅ Ａｃｃｅｓｓ）を次世代システムでＯＦＤＭＡ（Ｏｒｔｈｏｇｏｎａｌ ｆｒｅｑｕｅｎｃｙ Ｄｉｖｉｓｉｏｎ Ｍｕｌｔｉｐｌｅ Ａｃｃｅｓｓ）で切り替えようとする研究が活発に進行されつつある。３ＧＰＰと３ＧＰＰ２はＯＦＤＭＡを使用する進化システムに関する標準化を進行し始めた。ＣＤＭＡ方式に比べてＯＦＤＭＡ方式で容量増大を期待できることで知られている。ＯＦＤＭＡ方式で容量増大となる多様な原因中の一つが周波数軸上でのスケジューリング（ｆｒｅｑｕｅｎｃｙ Ｄｏｍａｉｎ Ｓｃｈｅｄｕｌｉｎｇ）を実行できるということである。チャンネルが時間によって変わる特性に応じてチャンネル感応スケジューリング方法を介して容量利得を得たようにチャンネルが周波数に応じて他の特性を活用すればより多い容量利得を得ることができる。
【００２０】
図１は、ＬＴＥ／ＬＴＥ−Ａシステムで時間及び周波数リソースを示した図面である。
【００２１】
前記図１において基地局（または、ｅＮＢ」）が端末に送信する無線リソースは周波数軸上ではＲＢ（ｒｅｓｏｕｒｃｅ ｂｌｏｃｋ）単位で分けられて時間軸上ではサブフレーム（ｓｕｂｆｒａｍｅ）単位で分けられる。前記ＲＢは、ＬＴＥ／ＬＴＥ−Ａシステムで一般的に１２個のサブキャリアからなり、１８０ｋＨｚの帯域を占める。一方、サブフレーム（ｓｕｂｆｒａｍｅ）はＬＴＥ／ＬＴＥ−Ａシステムで一般的に１４個のＯＦＤＭシンボル区間からなり、１ｍｓｅｃの時間区間を占める。ＬＴＥ／ＬＴＥ−Ａシステムはスケジューリングを実行するにあたり時間軸上ではサブフレーム（ｓｕｂｆｒａｍｅ）単位でリソースを割り当てることができ、周波収軸ではＲＢ単位でリソースを割り当てることができる。
【００２２】
図２は、ＬＴＥ／ＬＴＥ−Ａシステムでダウンリンクでスケジューリングできる最小単位である１ｓｕｂｆｒａｍｅ及び１ＲＢの無線リソースを示した図面である。
【００２３】
前記図２に図示された無線リソースは時間軸上で一つのサブフレーム（ｓｕｂｆｒａｍｅ）からなり、周波収軸上で一つのＲＢからなる。このような無線リソースは周波数領域で１２個のサブキャリア（ｓｕｂｃａｒｒｉｅｒ）からなり、時間領域から１４個のＯＦＤＭシンボルからなり、総１６８個の固有周波数及び時間位置を有する。ＬＴＥ／ＬＴＥ−Ａでは前記図２のそれぞれの固有周波数及び時間位置をＲＥ（ｒｅｓｏｕｒｃｅ ｅｌｅｍｅｎｔ）と言う。
【００２４】
前記図２に図示された無線リソースには次の通り複数個の互いに異なる種類の信号が送信されることができる。
【００２５】
１．ＣＲＳ（Ｃｅｌｌ Ｓｐｅｃｉｆｉｃ ＲＳ、セル特定基準信号）：一つのｃｅｌｌに属した全ての端末のために送信される基準信号
【００２６】
２．ＤＭＲＳ（Ｄｅｍｏｄｕｌａｔｉｏｎ Ｒｅｆｅｒｅｎｃｅ Ｓｉｇｎａｌ、復調基準信号）：特定端末のために送信される基準信号
【００２７】
３．ＰＤＳＣＨ（Ｐｈｙｓｉｃａｌ Ｄｏｗｎｌｉｎｋ Ｓｈａｒｅｄ Ｃｈａｎｎｅｌ、物理ダウンリンク共用チャンネル）：ダウンリンクに送信されるデータチャンネルで基地局が端末にトラフィックを送信するために利用し、前記図２のｄａｔａ ｒｅｇｉｏｎで基準信号が送信されないＲＥを利用して送信される。
【００２８】
４.ＣＳＩ−ＲＳ（Ｃｈａｎｎｅｌ Ｓｔａｔｕｓ Ｉｎｆｏｒｍａｔｉｏｎ Ｒｅｆｅｒｅｎｃｅ Ｓｉｇｎａｌ、チャンネル状態情報基準信号）：一つのｃｅｌｌに属した端末のために送信される基準信号であり、チャンネル状態を測定するのに利用される。一つのｃｅｌｌには複数個のＣＳＩ−ＲＳが送信されることができる。
【００２９】
５.その他の制御チャンネル（ＰＨＩＣＨ、ＰＣＦＩＣＨ、ＰＤＣＣＨ）：端末がＰＤＳＣＨを受信するのに必要な制御情報を提供したりアップリンクのデータ送信に対するＨＡＲＱを運用するためのＡＣＫ／ＮＡＣＫ送信
【００３０】
前記信号の外にＬＴＥ−Ａシステムでは互いに異なる基地局が送信するＣＳＩ−ＲＳが当該セルの端末に干渉無しに受信されることができるようにミューティング（ｍｕｔｉｎｇ）を設定することができる。前記ミューティングはＣＳＩ−ＲＳが送信されることができる位置で適用されることができ、一般的に端末は当該無線リソースをスキップしてトラフィック信号を受信する。ＬＴＥ−Ａシステムでミューティングは他の用語でｚｅｒｏ−ｐｏｗｅｒＣＳＩ−ＲＳと呼ばれる。ミューティングの特性上、ＣＳＩ−ＲＳの位置に適用されて送信電力が送信されないからである。
【００３１】
前記図２でＣＳＩ−ＲＳはＣＳＩ−ＲＳを送信するアンテナ数に応じてＡ、Ｂ、Ｃ、Ｄ、Ｅ、Ｅ、Ｆ、Ｇ、Ｈ、Ｉ、Ｊに表示された位置の一部を利用して送信されることができる。また、ミューティングもＡ、Ｂ、Ｃ、Ｄ、Ｅ、Ｅ、Ｆ、Ｇ、Ｈ、Ｉ、Ｊに表示された位置の一部に適用されることができる。特にＣＳＩ−ＲＳは送信するアンテナポート数に応じて２個、４個、８個のＲＥに送信されることができる。アンテナポート数が２個である場合、前記図２で特定パターンの半分にＣＳＩ−ＲＳが送信されてアンテナポート数が４個である場合、特定パターンの全体にＣＳＩ−ＲＳが送信されてアンテナポート数が８個である場合、二つのパターンを利用してＳＩ−ＲＳが送信される。一方、ミューティングの場合、常に一つのパターン単位からなる。即ち、ミューティングは複数個のパターンに適用されることはできるがＣＳＩ−ＲＳと位置が重ならない場合、一つのパターンの一部にだけ適用されることはできない。ただ、ＣＳＩ−ＲＳの位置とミューティングの位置が重なる場合に限って一つのパターンの一部にだけ適用されることができる。
【００３２】
セルラシステムでダウンリンクチャンネル状態を測定するために基準信号（ｒｅｆｅｒｅｎｃｅ ｓｉｇｎａｌ）を送信すべきである。３ＧＰＰのＬＴＥ−Ａ（Ｌｏｎｇ Ｔｅｒｍ Ｅｖｏｌｕｔｉｏｎ Ａｄｖａｎｃｅｄ）システムの場合、基地局が送信するＣＳＩ−ＲＳ（Ｃｈａｎｎｅｌ Ｓｔａｔｕｓ Ｉｎｆｏｒｍａｔｉｏｎ Ｒｅｆｅｒｅｎｃｅ Ｓｉｇｎａｌ、チャンネル状態情報基準信号）を利用して端末は、基地局と自らの間のチャンネル状態を測定する。前記チャンネル状態は基本的に何種類要素が考慮されべきであり、ここにはダウンリンクでの干渉量が含まれる。前記ダウンリンクでの干渉量は隣接基地局に属したアンテナによって発生される干渉信号及び熱雑音などが含まれて端末がダウンリンクのチャンネル状況を判断するのに重要である。
【００３３】
一例として、送信アンテナが一個人基地局で受信アンテナが一つの端末で送信する場合、端末は基地局で受信された基準信号でダウンリンクに受信することができるシンボル当りエネルギーと当該シンボルを受信する区間で同時に受信される干渉量を判断してＥｓ／Ｉｏを決定すべきである。決定されたＥｓ／Ｉｏは基地局に通報されて基地局がダウンリンクで端末にどんなデータ送信速度で送信を実行するかを判断することができる。
【００３４】
一般的な移動通信システムの場合、各セルの中間支店に基地局装備が配置されて当該基地局装備は限定された場所に位置した一つまたは複数個のアンテナを利用して端末と移動通信を実行する。前記の如き、セルに属したアンテナが同一位置に配置された移動通信システムをＣＡＳ（Ｃｅｎｔｒａｌｉｚｅｄ Ａｎｔｅｎｎａ Ｓｙｓｔｅｍ）と言う。一方、一つのセルに属したアンテナ（ＲＲＨ：Ｒｅｍｏｔｅ Ｒａｄｉｏ Ｈｅａｄ）がセル内の分散した位置に配置された移動通信システムをＤＡＳ（Ｄｉｓｔｒｉｂｕｔｅｄ Ａｎｔｅｎｎａ Ｓｙｓｔｅｍ：分散アンテナシステム）と言う。
【００３５】
図３は、一般的な分散アンテナシステムでアンテナの分散した位置への配置を示した図面である。
【００３６】
前記図３は、２個のセル３００とセル３１０からなる分散アンテナシステムに該当する。セル３００の場合、一つの高出力アンテナ３２０と４個の低出力アンテナからなる。前記高出アンテナはセル領域に含まれる全域に最小限のサービスを提供する一方、低出力アンテナはセル内の制限された領域で制限された端末に高いデータ速度に基づくサービスを提供することができる。また、低出力アンテナ及び高出力アンテナは３３０のように全て中央制御器に連結されて中央制御器のスケジューリング及び無線リソース割り当てによって作動する。前記分散アンテナシステムで一つの地理的に分離されたアンテナ位置には一つまたは複数個のアンテナが配置されることができる。分散アンテナシステムで同一位置に配置されたアンテナまたはアンテナを本発明ではアンテナグループ （ＲＲＨ ｇｒｏｕｐ）と言う。
【００３７】
前記図３のような分散アンテナシステムで端末は一つの地理的に分離したアンテナグループで信号を受信する一方、残りアンテナグループで送信されることは干渉として作用する。
【００３８】
図４は分散アンテナシステムで各アンテナグループ別で互いに異なる端末に送信を実行する場合、どんなに干渉現象が発生するかどうかを示した図面である。
【００３９】
前記図４で端末ＵＥ１（ＵＥ：Ｕｓｅｒ Ｅｑｕｉｐｍｅｎｔ）はアンテナグループ４１０でトラフィック信号を受信している。一方、ＵＥ２はアンテナグループ４３０で、ＵＥ３はアンテナグループ４５０で、ＵＥ４はアンテナグループ４７０でトラフィック信号を受信している。ＵＥ１がアンテナグループ４１０でトラフィック信号を受信する同時に他の端末にトラフィック信号を送信している他のアンテナグループから干渉を受ける。すなわち、アンテナグループ４３０、４５０、４７０から送信される信号がＵＥ１に干渉効果を発生させる。
【００４０】
一般的に、分散アンテナシステムで他のアンテナグループによる干渉発生には次のように２種類がある。
【００４１】
１.セル間干渉（Ｉｎｔｅｒ−ｃｅｌｌ ｉｎｔｅｒｆｅｒｅｎｃｅ）：他のセルのアンテナグループによって発生される干渉
【００４２】
２.イントラセル干渉（Ｉｎｔｒａ−ｃｅｌｌ ｉｎｔｅｒｆｅｒｅｎｃｅ）：同一セルのアンテナグループによって発生される干渉
【００４３】
前記図４のＵＥ１がイントラセル（ｉｎｔｒａ−ｃｅｌｌ）干渉としては同一セルに属したアンテナグループ４３０で発生される干渉がある一方、セル間干渉では隣接セルのアンテナグループ４５０及び４７０で発生される干渉がある。前記セル間干渉（ｉｎｔｅｒ−ｃｅｌｌ ｉｎｔｅｒｆｅｒｅｎｃｅ）とイントラセル干渉（ｉｎｔｒａ−ｃｅｌｌ ｉｎｔｅｒｆｅｒｅｎｃｅ）は端末に同時に受信されて端末のデータチャンネル受信を邪魔する。
【００４４】
分散アンテナシステムの端末がダウンリンクを利用して最適のデータ送信速度で信号を受信するためには自らに干渉を発生させるセル間干渉（ｉｎｔｅｒ−ｃｅｌｌ ｉｎｔｅｒｆｅｒｅｎｃｅ）及びイントラセル干渉（ｉｎｔｒａ−ｃｅｌｌ ｉｎｔｅｒｆｅｒｅｎｃｅ）を正確に測定し、これを受信された信号の強度と比べた結果によってデータ送信速度を基地局に要請すべきである。
【００４５】
分散アンテナシステムではない一般的な中央配置型アンテナシステム（Ｃｅｎｔｒａｌｉｚｅｄ Ａｎｔｅｎｎａ Ｓｙｓｔｅｍ）の場合、各セル別に一つのアンテナグループだけが存在する。このような場合、前記図４のように同一セル内の互いに異なるアンテナグループ間に発生するイントラセル干渉（ｉｎｔｒａ−ｃｅｌｌ ｉｎｔｅｒｆｅｒｅｎｃｅ）は発生されず、ただ互いに異なるセルで発生されるセル間干渉（ｉｎｔｅｒ−ｃｅｌｌ ｉｎｔｅｒｆｅｒｅｎｃｅ）だけ発生される。ＬＴＥ／ＬＴＥ−Ａ システムが中央配置型アンテナシステムから構成される場合、前記図２で言及されたＣＲＳを利用してセル間干渉（ｉｎｔｅｒ−ｃｅｌｌ ｉｎｔｅｒｆｅｒｅｎｃｅ）を測定することができる。一般的に、中央配置型アンテナシステムで端末はＣＲＳを受信した後周波数領域で周期的な特性を有する信号を利用して遅延ドメイン（ｄｅｌａｙ ｄｏｍａｉｎ）信号で変換する。
【００４６】
図５は、ＣＲＳが遅延ドメイン（ｄｅｌａｙ ｄｏｍａｉｎ）信号に変換されたことを示した図面である。
【００４７】
ＬＴＥ／ＬＴＥ−Ａシステムで遅延ドメイン（ｄｅｌａｙ ｄｏｍａｉｎ）でＩＦＦＴさせると前記図５のように遅延（ｄｅｌａｙ）が大きくなるほど遅延構成要素（ｄｅｌａｙ ｃｏｍｐｏｎｅｎｔ）に積まれるエネルギーは減少する傾向を有するチャンネルインパルス応答（ｃｈａｎｎｅｌ ｉｍｐｕｌｓｅ ｒｅｓｐｏｎｓｅ）を得ることができる。一般的に、前記図５のようにＩＦＦＴ実行した後、得られる信号で後部に該当する部分は相対的に他のセルで発生される干渉に該当する一方、前部に該当する部分はＣＲＳの実際信号成分に該当する。このような場合、後部に位置した干渉の大きさを測定することによって端末は自らの信号対雑音比を計算することができる。このような干渉測定は互いに異なるセルで同一ＣＲＳを送信しないので可能である。互いに異なるセルは互いに異なる周波数時間リソースを利用してＣＲＳを送信することができ、セルごとにＣＲＳが固有のスクランブルリング（ｓｃｒａｍｂｌｉｎｇ）が適用されるから前記のような干渉測定方式が可能である。ＬＴＥ／ＬＴＥ−Ａの場合、ＣＲＳのスクランブルリング（ｓｃｒａｍｂｌｉｎｇ）は当該セルのｃｅｌｌ ＩＤによって決定される。
【００４８】
一方、ＬＴＥ／ＬＴＥ−Ａでの分散アンテナシステムの場合、同一セルに存在するすべてのアンテナグループは同一位置でＣＲＳを送信するようになり、アンテナグループごとに固有のスクランブルリング（ｓｃｒａｍｂｌｉｎｇ）をＣＲＳに適用できない。このように同一セルに属した互いに異なるアンテナグループが固有のＣＲＳを送信することができない場合、引接セルのアンテナグループによるセル間干渉（ｉｎｔｅｒ−ｃｅｌｌ ｉｎｔｅｒｆｅｒｅｎｃｅ）量は測定することができるが、同一セルに属した他のアンテナグループによるイントラセル干渉（ｉｎｔｒａ−ｃｅｌｌ ｉｎｔｅｒｆｅｒｅｎｃｅ）は測定することができなくなる。
【００４９】
前記図５と関連し、言及した方法を利用して干渉量を測定する場合、端末は他のセルのアンテナグループで発生される干渉だけ測定するだけ、同一セルに属した他のアンテナグループから発生される干渉を測定することができなくなり、不正確な信号対干渉比を計算する。このような不正確な信号対干渉比はＡＭＣ（Ａｄａｐｔｉｖｅ Ｍｏｄｕｌａｔｉｏｎ ａｎｄ Ｃｏｄｉｎｇ）を利用してダウンリンクのデータ送信速度を信号対干渉比を利用して適応的に変化すべきであるＬＴＥ／ＬＴＥ−Ａシステムに相当な性能低下をもたらす。
【００５０】
従って、セル間干渉及びイントラセル干渉を効果的に測定することができる方法に対する必要性が台頭される。
【００５１】
前述したように分散アンテナシステムでダウンリンクの効率的なデータ送信速度を決定するためには端末でセル間干渉（ｉｎｔｅｒ−ｃｅｌｌ ｉｎｔｅｒｆｅｒｅｎｃｅ）だけでなくイントラセル干渉（ｉｎｔｒａ−ｃｅｌｌ ｉｎｔｅｒｆｅｒｅｎｃｅ）も測定すべきである。このために本発明では以下の通り２つの方法を提案する。
【００５２】
１.第１実施形態：ＣＳＩ−ＲＳを活用した干渉測定方法
【００５３】
２.第２実施形態：ミューティングを活用した干渉測定方法
【００５４】
＜第１実施形態：ＣＳＩ−ＲＳを活用した干渉測定方法＞
【００５５】
本発明による第１の干渉測定方法はＣＳＩ−ＲＳを利用したことである。ＣＳＩ−ＲＳを利用して干渉を測定する場合、端末はセル間干渉（ｉｎｔｅｒ−ｃｅｌｌ ｉｎｔｅｒｆｅｒｅｎｃｅ）とイントラセル干渉（ｉｎｔｒａ−ｃｅｌｌｉｎｔｅｒｆｅｒｅｎｃｅ）を別に測定した後、このものを合わせて総干渉量を導出する。この方法でイントラセル干渉（ｉｎｔｅｒ−ｃｅｌｌｉｎｔｅｒｆｅｒｅｎｃｅ）の場合、前記図５のようにＣＲＳを利用して測定する。前記ＣＲＳを利用して測定した干渉には隣接セルに属したアンテナグループで発生される干渉が含まれるが端末が属したセルのアンテナグループで発生される干渉は含まれない。即ち、イントラセル干渉（ｉｎｔｅｒ−ｃｅｌｌ ｉｎｔｅｒｆｅｒｅｎｃｅ）を測定することができる追加的な方法が必要である。
【００５６】
本発明による第１実施形態ではイントラセル干渉（ｉｎｔｒａ−ｃｅｌｌ ｉｎｔｅｒｆｅｒｅｎｃｅ）を測定するために基地局が端末にｉｎｔｅｒｆｅｒｅｎｃｅ ｍｅａｓｕｒｅｍｅｎｔ ｓｅｔを通知する。前記ｉｎｔｅｒｆｅｒｅｎｃｅ ｍｅａｓｕｒｅｍｅｎｔ ｓｅｔは端末が属したセルで端末に干渉を発生させるアンテナグループの集合である。一例として前記図４のような場合、端末はｃｅｌｌ２から送信されるＣＲＳを利用してｉｎｔｅｒ−ｃｅｌｌ ｉｎｔｅｒｆｅｒｅｎｃｅを測定してｃｅｌｌ１で送信されるＣＳＩ−ＲＳを受信してイントラセル干渉（ｉｎｔｒａ−ｃｅｌｌ ｉｎｔｅｒｆｅｒｅｎｃｅ）を測定する。これのために基地局は端末にイントラセル干渉（ｉｎｔｒａ−ｃｅｌｌ ｉｎｔｅｒｆｅｒｅｎｃｅ）を発生させるアンテナグループの集合であるｉｎｔｅｒｆｅｒｅｎｃｅ ｍｅａｓｕｒｅｍｅｎｔ ｓｅｔ及びｉｎｔｅｒｆｅｒｅｎｃｅ ｍｅａｓｕｒｅｍｅｎｔ ｓｅｔに含まれたアンテナグループのＣＳＩ−ＲＳを受信するのに必要な情報を端末に通知する。
【００５７】
前記の基地局で端末に送信されるｉｎｔｅｒｆｅｒｅｎｃｅ ｍｅａｓｕｒｅｍｅｎｔ ｓｅｔ 及びｉｎｔｅｒｆｅｒｅｎｃｅ ｍｅａｓｕｒｅｍｅｎｔ ｓｅｔに属したアンテナグループのＣＳＩ−ＲＳを通知するための情報は端末に上位シグナリングを利用して通知される。また、前記上位シグナリングは端末ごとに個別的に通報される形態に送信されたり同時に複数個の端末に共に通報される形態に送信されることができる。表１は本発明でイントラセル干渉（ｉｎｔｒａ−ｃｅｌｌ ｉｎｔｅｒｆｅｒｅｎｃｅ）を端末が効果的に測定するように前記情報を基地局が端末に通知する一実施形態である。
【００５８】
【表１】
2018101983.tif 000003
【００５９】
前記表１で基地局は端末に受信アンテナグループを複数個と指定した後、各受信アンテナグループ別でｉｎｔｅｒｆｅｒｅｎｃｅ ｍｅａｓｕｒｅｍｅｎｔ ｓｅｔ及び関連ＣＳＩ−ＲＳ情報を通知することができる。前記で複数個の受信アンテナグループを指定する理由は端末にとって最も良い受信アンテナグループを選択するようにするためである。このように端末が複数個の受信アンテナグループで任意の受信アンテナを選択するためには各受信アンテナグループ別でｉｎｔｅｒｆｅｒｅｎｃｅ ｍｅａｓｕｒｅｍｅｎｔ ｓｅｔを別に設定すべきである。また、前記表１で一つの受信アンテナグループの場合、２つのｉｎｔｅｒｆｅｒｅｎｃｅ ｍｅａｓｕｒｅｍｅｎｔ ｓｅｔが設定されていることを分かる。
【００６０】
このように複数個のｉｎｔｅｒｆｅｒｅｎｃｅ ｍｅａｓｕｒｅｍｅｎｔ ｓｅｔを設定することは基地局が特定アンテナグループで送信を実行しないこともあるからである。このような特定アンテナグループで送信を実行しない理由は、送信を実行しないことによって発生される干渉量を減らす為であるか、送信するトラフィックデータが存在しないからである。このように干渉量が存在しない場合には端末が基地局に送信するＣＳＩ ｆｅｅｄｂａｃｋがこれを勘案するのが性能を向上させることができる。前記表１では受信アンテナグループ１（ＲＲＨ１）の場合、アンテナグループ２（ＲＲＨ２）が消える時を勘案して干渉を測定して、さらにアンテナグループ２（ＲＲＨ２）が消える時を勘案して干渉を測定するように設定されている。干渉を測定するための無線リソースは、受信アンテナグループごとに複数個が設定されることができるが、ＣＳＩ−ＲＳは受信アンテナグループごとに一つだけ設定される。
【００６１】
前記表１の干渉測定のための情報を見ると、ｉｎｔｅｒｆｅｒｅｎｃｅ ｍｅａｓｕｒｅｍｅｎｔ ｓｅｔで常に受信アンテナグループは除かれていることを分かる。これは受信アンテナグループから送信される信号は干渉ではないデータチャンネルを積む有用な信号のためである。
【００６２】
図６は本発明で提案するＣＳＩ−ＲＳを活用した干渉測定方法の作動を説明するための図面である。
【００６３】
前記図６で６００は受信アンテナグループから送信されるＣＳＩ−ＲＳを端末が受信した時の受信強度である。また６１０は、ｉｎｔｅｒｆｅｒｅｎｃｅ ｍｅａｓｕｒｅｍｅｎｔ ｓｅｔに含まれたアンテナグループから送信されるＣＳＩ−ＲＳの受信強度で、６２０はｉｎｔｅｒｆｅｒｅｎｃｅ ｍｅａｓｕｒｅｍｅｎｔ ｓｅｔに含まれた他のアンテナグループから送信されるＣＳＩ−ＲＳの受信強度である。端末はｉｎｔｅｒｆｅｒｅｎｃｅ ｍｅａｓｕｒｅｍｅｎｔ ｓｅｔに含まれたアンテナグループから送信されるＣＳＩ−ＲＳを受信することによってイントラセル干渉（ｉｎｔｒａ−ｃｅｌｌ ｉｎｔｅｒｆｅｒｅｎｃｅ）の程度を判断することができ、この値をＣＲＳを利用して判断した ｉｎｔｅｒ−ｃｅｌｌ ｉｎｔｅｒｆｅｒｅｎｃｅの程度と結合して全干渉量を判断する。前記全て干渉量と前記受信アンテナグループから送信されたＣＳＩ−ＲＳの受信強度６００を利用して端末は自分の信号対雑音比を判断し、これを基地局に通知する。
【００６４】
前記第１実施形態ではｉｎｔｅｒｆｅｒｅｎｃｅ ｍｅａｓｕｒｅｍｅｎｔ ｓｅｔがイントラセル干渉（ｉｎｔｒａ−ｃｅｌｌ ｉｎｔｅｒｆｅｒｅｎｃｅ）を測定するためだけ利用されることに説明されたが当該技術はｉｎｔｅｒ−ｃｅｌｌ ｉｎｔｅｒｆｅｒｅｎｃｅを測定するのに活用されることができる。この場合、基地局が端末に送信するｉｎｔｅｒｆｅｒｅｎｃｅ ｍｅａｓｕｒｅｍｅｎｔ ｓｅｔ及び関連ＣＳＩ−ＲＳ情報に他のセルに含まれたアンテナグループを含ませれば良い。しかし、他のセルに対しても適用する場合、上位シグナリングで送信すべきである情報量が過多に大きくなることが短所である。
【００６５】
＜第２実施形態：ミューティングを活用した干渉測定方法＞
【００６６】
本発明で提案する第２干渉測定方法は、ミューティングを利用したことである。この場合基地局は端末に干渉を直接測定できるリソースを通知する。即ち、各アンテナグループから送信される周波数及び時間リソースのうちの特定部分を干渉測定用リソースに割り当てして当該リソースでは送信を実行しないことによって端末が干渉のみを測定する。
【００６７】
図７は、本発明で提案する実施形態による干渉測定方法を示した図面である。
【００６８】
前記図７では３つのアンテナグループから送信される信号が図示する。図７の７００はｃｅｌｌ１に含まれたアンテナグループ（ＲＲＨ１）から送信される信号でこのアンテナグループは端末の受信アンテナグループに該当する。また図７の７１０は受信アンテナグループと同一セルに含まれた他のアンテナグループ（ＲＲＨ２）から送信される信号で７２０は受信アンテナグループと異なるセルに含まれたアンテナグループ（ＲＲＨ３）から送信される信号である。
【００６９】
前記図７のＲＲＨ１を受信アンテナグループで有する端末に基地局は干渉測定のために前記図２のｍｕｔｉｎｇ ｐａｔｔｅｒｎ Ｃとｍｕｔｉｎｇ ｐａｔｔｅｒｎ Ｇに該当する無線リソースを端末に割り当てる。図７のｍｕｔｅ１に表示された７２０とｍｕｔｅ２に表示された７３０がここに該当する。前記７３０のｍｕｔｅ２に表示された無線リソースを利用して端末はイントラセル干渉（ｉｎｔｒａ−ｃｅｌｌ ｉｎｔｅｒｆｅｒｅｎｃｅ）として作用するＲＲＨ２で発生される干渉及びｉｎｔｅｒ−ｃｅｌｌ ｉｎｔｅｒｆｅｒｅｎｃｅとして作用するＲＲＨ３で発生される干渉を測定することができる。
【００７０】
前記７３０のｍｕｔｅ２に表示された無線リソースを利用してＲＲＨ２及びＲＲＨ３で発生される干渉を測定することができる理由は、同一周波数及び時間リソースでＲＲＨ２とＲＲＨ３ではミューティングが適用されずトラフィックチャンネルに対する信号に対する送信を実行しているからである。即ち、端末は自らの受信アンテナグループに対する受信信号の強度は７００のＲＳと表示された部分で測定するが干渉量は７３０の無線リソースで測定を実行する。一方、受信アンテナグループ（ＲＲＨ１）は端末が正確な干渉量を測定するように７３０の無線リソースでどんな信号も送信しない。結果的に端末は７２０の無線リソース位置ではＲＲＨ３で発生された干渉のみを測定することができる。これは当該区間でＲＲＨ２の場合、７４０のようにミューティングが適用される一方、ＲＲＨ３の場合トラフィックチャンネルに対する信号が送信されるからである。
【００７１】
本発明による第２実施形態では干渉を測定するために基地局が端末にｉｎｔｅｒｆｅｒｅｎｃｅ ｍｅａｓｕｒｅｍｅｎｔ ｓｅｔを通知する。前記第１実施形態の場合ｉｎｔｅｒｆｅｒｅｎｃｅ ｍｅａｓｕｒｅｍｅｎｔ ｓｅｔの場合、ｉｎｔｒａ−ｃｅｌｌ ｉｎｔｅｒｆｅｒｅｎｃｅを主に測定するためのものであるが第２実施形態ではｉｎｔｅｒ−ｃｅｌｌ ｉｎｔｅｒｆｅｒｅｎｃｅ及びイントラセル干渉（ｉｎｔｒａ−ｃｅｌｌ ｉｎｔｅｒｆｅｒｅｎｃｅ）を基地局の判断によって自由に測定する。また干渉を発生させるアンテナグループ別で情報を通知する必要無しに測定する無線リソースだけ通知すれば良いから上位シグナリングに送信される情報量も減少させることができる。
【００７２】
第２実施形態で基地局で端末に送信されるｉｎｔｅｒｆｅｒｅｎｃｅ ｍｅａｓｕｒｅｍｅｎｔ ｓｅｔ情報は端末に前記シグナリングを利用して通報される。また、前記上位シグナリングは端末ごとに個別的に通報される形態に送信されたり同時に複数個の端末に一緒に通報される形態に送信されることができる。表２は本発明の第２実施形態で干渉測定のために基地局が関連情報を端末に通知する一実施形態である。
【００７３】
【表２】
2018101983.tif 000004
【００７４】
前記表２は前記表１と比べて端末に干渉測定のために特定ＲＲＨのＣＳＩ−ＲＳを受信するのに必要な情報が必要ないことを分かる。また干渉を測定するにあたり前記第１実施形態とようにｉｎｔｅｒ−ｃｅｌｌ ｉｎｔｅｒｆｅｒｅｎｃｅを別に測定する必要無しに基地局の判断によってイントラセル干渉（ｉｎｔｒａ−ｃｅｌｌ ｉｎｔｅｒｆｅｒｅｎｃｅ）を測定しながら同時にｉｎｔｅｒ−ｃｅｌｌ ｉｎｔｅｒｆｅｒｅｎｃｅと共に測定することができる。
【００７５】
前記表２で前記表１のように一つの受信アンテナグループごとに２つのｉｎｔｅｒｆｅｒｅｎｃｅ ｍｅａｓｕｒｅｍｅｎｔ ｓｅｔが設定されていることを分かる。このように複数個の干渉測定用無線を指定する理由は、前記で言及したように端末にとって特定アンテナグループで送信を実行する場合と送信を実行しない場合に対する干渉測定を個別的にして基地局に通知することによって効率的なデータ送信速度決定ができるようにするためである。干渉を測定するための無線リソースは、受信アンテナグループごとに複数個が設定されることができるがＣＳＩ−ＲＳは受信アンテナグループごとに一つだけ設定される。
【００７６】
前記干渉測定情報（ｉｎｔｅｒｆｅｒｅｎｃｅ ｍｅａｓｕｒｅｍｅｎｔ ｓｅｔ）を決定するにあたり最も重要なことは干渉を測定しながら当該受信アンテナグループから送信される信号を測定してはいけないことである。本発明ではこれを防止することができる二つの方法を次のように提示する。
【００７７】
（ｉ）干渉測定の時、受信アンテナグループから送信されるＣＳＩ−ＲＳ測定防止方法１：基地局はｉｎｔｅｒｆｅｒｅｎｃｅ ｍｅａｓｕｒｅｍｅｎｔ ｓｅｔを決定する時、受信アンテナグループから送信されるＣＳＩ−ＲＳの位置とｉｎｔｅｒｆｅｒｅｎｃｅ ｍｅａｓｕｒｅｍｅｎｔ ｓｅｔが指定するミューティング位置が重ならないようにする。
【００７８】
（ｉｉ）干渉測定の時、受信アンテナグループで送信されるＣＳＩ−ＲＳ 測定防止方法２：端末が基地局からｉｎｔｅｒｆｅｒｅｎｃｅ ｍｅａｓｕｒｅｍｅｎｔ ｓｅｔが指定するミューティング位置とＣＳＩ−ＲＳの位置が一部重なるように通報される場合、端末はＣＳＩ−ＲＳとミューティングが重なる位置でＣＳＩ−ＲＳが送信されると仮定して干渉測定のために指定されたミューティング位置中のＣＳＩ−ＲＳと重ならない位置の無線リソースのみを利用して干渉を測定する。
【００７９】
前記２つの方法で（ｉｉ）は、干渉測定用無線リソースと受信アンテナグループのＣＳＩ−ＲＳ送信用無線が一部重なると端末が通報を受ける場合、端末は別途の追加的な通報なしに優先順位をＣＳＩ−ＲＳに置いてＣＳＩ−ＲＳと重ならない干渉測定用無線リソースでばかり干渉を測定する。
【００８０】
前記第１実施形態と第２実施形態は分散アンテナシステムでｉｎｔｅｒ−ｃｅｌｌ ｉｎｔｅｒｆｅｒｅｎｃｅとイントラセル干渉（ｉｎｔｒａ−ｃｅｌｌ ｉｎｔｅｒｆｅｒｅｎｃｅ）を測定するのに利用される。一方、前記第１実施形態または第２実施形態が適用された分散アンテナシステムで端末がｉｎｔｅｒｆｅｒｅｎｃｅ ｍｅａｓｕｒｅｍｅｎｔ ｓｅｔ及びこれに係る情報が通報されないこともある。すなわち、干渉測定のための別途の無線リソースが割り当てられない。本発明でこのように移動通信システムで前記第１実施形態または第２実施形態を適用することができるにもかかわらず、これに係る情報を端末に通知しない場合、端末はこれをイントラセル干渉（ｉｎｔｒａ−ｃｅｌｌ ｉｎｔｅｒｆｅｒｅｎｃｅ）が存在しないことで認識し、前記図５と同様にＣＲＳのみを利用して干渉を測定する。Ｉｎｔｅｒｆｅｒｅｎｃｅ ｍｅａｓｕｒｅｍｅｎｔ ｓｅｔが設定されない場合、端末がＣＲＳのみを利用して干渉を測定する理由は基地局が別途のｉｎｔｅｒｆｅｒｅｎｃｅ ｍｅａｓｕｒｅｍｅｎｔ ｓｅｔを通知しないことを当該システムが分散アンテナシステムの形態で構成されなかったと判断するためである。このように分散アンテナシステムと設定されない場合、イントラセル干渉（ｉｎｔｒａ−ｃｅｌｌ ｉｎｔｅｒｆｅｒｅｎｃｅ）が他のアンテナグループで発生されないからＣＲＳのみを利用してｉｎｔｅｒ−ｃｅｌｌ ｉｎｔｅｒｆｅｒｅｎｃｅのみを測定することで十分である。Ｉｎｔｅｒｆｅｒｅｎｃｅ ｍｅａｓｕｒｅｍｅｎｔ ｓｅｔの設定に係る動作を整理すれば以下の通りである。
【００８１】
１.ｉｎｔｅｒｆｅｒｅｎｃｅ ｍｅａｓｕｒｅｍｅｎｔ ｓｅｔが設定される：端末は前記または第２実施形態のうち、システムがサポートすることを利用して干渉測定する。第１実施形態を利用する場合、ｉｎｔｅｒ−ｃｅｌｌ ｉｎｔｅｒｆｅｒｅｎｃｅは ＣＲＳを利用して測定する。
【００８２】
２.ｉｎｔｅｒｆｅｒｅｎｃｅ ｍｅａｓｕｒｅｍｅｎｔ ｓｅｔが設定されない：端末は ＣＲＳを利用してｉｎｔｅｒ−ｃｅｌｌ ｉｎｔｅｒｆｅｒｅｎｃｅのみを測定する。
【００８３】
図８は、本発明による分散アンテナシステムで干渉測定を実行するにあたり基地局の動作手順を示したフローチャートである。前記図８で基地局は過程８００で端末の受信アンテナグループを決定する。
【００８４】
前記過程８００で決定する受信アンテナグループは一つまたは複数個であってもよい。
前記過程８００で受信アンテナグループを決定する基地局は当該受信アンテナグループで送信される信号の強度を測定するためのＣＳＩ−ＲＳを前記図８の過程８１０で決定される。前記過程８００で決定される受信アンテナグループごとに一つのＣＳＩ−ＲＳが決定する。また干渉測定のために基地局は過程８２０で各受信アンテナグループ別で干渉を測定することができる無線リソース（または干渉測定情報、以下、同じ）を過程８２０で決定する。前記干渉を測定することができる干渉測定情報は、前記第１実施形態と同一隣接アンテナグループから送信されるＣＳＩ−ＲＳになることもでき、前記第２実施形態のように特定ミューティングパターンであることができる。
【００８５】
基地局は前記過程８１０と過程８２０を介して決定された受信アンテナグループから送信されるチャンネル状態情報基準信号の信号強度（ＣＳＩ−ＲＳ ｍｅａｓｕｒｅｍｅｎｔ ｓｅｔ）、干渉測定情報（ｉｎｔｅｒｆｅｒｅｎｃｅ ｍｅａｓｕｒｅｍｅｎｔ ｓｅｔ）、測定された干渉情報を基地局で通知する方法を８３０で端末に通知する。本発明の一事実施形態によれば、基地局は上位シグナリングを介して前記情報を端末に通知することができる。次に、過程８４０で基地局は過程８４０で端末に通知したようにＣＳＩ−ＲＳを送信したり、或いはミューティングを実行する。
【００８６】
図９は、本発明による分散アンテナシステムにおいて干渉測定を実行するにあたり端末の作動手順を示したフローチャートである。
【００８７】
前記図９で端末は過程９１０で基地局から受信アンテナグループから送信されるチャンネル状態情報基準信号の信号強度（ＣＳＩ−ＲＳ ｍｅａｓｕｒｅｍｅｎｔ ｓｅｔ）、干渉測定情報（ｉｎｔｅｒｆｅｒｅｎｃｅ ｍｅａｓｕｒｅｍｅｎｔ ｓｅｔ）、チャンネル状態情報フィードバック関連情報を上位シグナリングを利用して受信する。
【００８８】
端末は前記過程９１０でｉｎｔｅｒｆｅｒｅｎｃｅ ｍｅａｓｕｒｅｍｅｎｔ ｓｅｔが指定されない場合、過程９２０を経て過程９３０のようにＣＲＳのみを利用して干渉を測定する。一方、過程９１０でｉｎｔｅｒｆｅｒｅｎｃｅ ｍｅａｓｕｒｅｍｅｎｔ ｓｅｔが指定される場合、端末は過程９４０のように干渉測定を実行するために設定された無線リソース（干渉測定情報）を利用して干渉を測定する。前記過程９４０で干渉測定を実行するために設定された無線リソースは第１実施形態でのアンテナグループに割り当てられたＣＳＩ−ＲＳになることもでき、第２実施形態でのｍｕｔｉｎｇ ｐａｔｔｅｒｎとなることもできる。前記過程９４０または過程９３０で干渉を測定した端末は、過程９５０で受信アンテナグループで受信したＣＳＩ−ＲＳと測定した干渉量を利用してチャンネル状態情報を生成してこれを基地局に通知する。
【００８９】
図１０は、本発明で提案する干渉測定のための基地局の内部構造を示したブロック図である。
【００９０】
前記図１０で基地局の制御器１０２０は分散されたアンテナグループ別で受信信号の強度を測定するためのＣＳＩ−ＲＳを発生するように装置１０００のＣＳＩ−ＲＳ信号発生器を制御する。このように生成されたＣＳＩ−ＲＳは、各アンテナグループ別に割り当てられて装置１０１０で発生された他の信号と共に装置１０３０で ｍｕｌｔｉｐｌｅｘｉｎｇとなり、無線通信部（図示せず）を介して端末に送信される。
【００９１】
より具体的に、基地局制御器１０２０は端末に対する少なくても一つ以上の受信アンテナグループ、及び前記受信アンテナグループから送信される信号の強度を測定するためのチャンネル状態情報基準信号（ＣＳＩ−ＲＳ）を決定する。さらに、基地局制御器１０２０は前記受信アンテナグループに対するセル間干渉またはイントラセル干渉のうちの少なくとも一つを測定するための干渉測定情報を決定し、前記チャンネル状態情報基準信号の強度及び干渉測定情報を端末に通知するように制御する。この場合、基地局制御器１０２０は上位シグナリングを介して前記情報を端末に通知するように制御することができる。さらに、基地局制御器１０２０は前記干渉測定情報によって測定された干渉情報を前記端末から受信することを感知することができる。
【００９２】
この場合、前記干渉測定情報は本発明の方法１によれば、端末にイントラセル干渉を発生させるアンテナグループ集合（ｉｎｔｅｒｆｅｒｅｎｃｅ ｍｅａｓｕｒｅｍｅｎｔ ｓｅｔ）情報、及び各アンテナグループ集合に含まれたそれぞれのアンテナグループに対するチャンネル状態情報基準信号（ＣＳＩ−ＲＳ）を受信するのに必要な情報を含むことができる。この場合、前記アンテナグループ集合は、前記端末に対する複数個の受信アンテナグループそれぞれに対して設定される。
【００９３】
または、前記干渉測定情報は本発明の方法２によれば、端末に対するイントラセル干渉及びセル間干渉を測定するためのミューティングパターンであることができる。この場合、前記ミューティングパターンは前記端末に対する複数個の受信アンテナグループそれぞれに対して複数個のミューティングパターンが設定されることができる。
【００９４】
この場合、端末が干渉を測定しながら受信アンテナグループで送信される信号を測定しない為、前記受信アンテナグループから送信されるチャンネル状態情報基準信号の位置と前記ミューティングパターンの位置が重ならないように設定されることができる。もし、前記ミューティングパターンが前記受信アンテナグループから送信されるチャンネル状態情報基準信号の位置と前記ミューティングパターンの位置が重なるように設定される場合、前記チャンネル状態情報基準信号と重ならない位置の無線リソースを介して干渉が特定される。
【００９５】
図１１は、本発明による干渉測定のための端末の内部構造を示したブロック図である。
【００９６】
前記図１１で端末の制御器１１１０は端末が基地局から干渉測定情報を受信して、受信した干渉測定情報を利用して干渉を測定して、測定された干渉を利用してチャンネル状態情報を生成する一連の過程を制御することができる。
【００９７】
より具体的に、制御器１１１０は無線通信部（図示せず）を介して基地局から前記端末の受信アンテナグループに対するセル間干渉またはイントラセル干渉のうちの少なくとも一つを測定するための干渉測定情報を受信するように制御することができる。また、制御器１１１０は、前記受信された干渉測定情報を利用して干渉を測定して、前記測定された干渉を利用してチャンネル状態情報を生成して前記基地局で送信するように制御することができる。
【００９８】
この場合、前記干渉測定情報は本発明の方法１によれば、端末にイントラセル干渉を発生させるアンテナグループ集合（ｉｎｔｅｒｆｅｒｅｎｃｅ ｍｅａｓｕｒｅｍｅｎｔ ｓｅｔ）情報、及び各アンテナグループ集合に含まれたそれぞれのアンテナグループに対するチャンネル状態情報基準信号（ＣＳＩ−ＲＳ）を受信するのに必要な情報を含むことができる。この場合、前記アンテナグループ集合は、前記端末に対する複数個の受信アンテナグループそれぞれに対して設定される。
【００９９】
または、前記干渉測定情報は本発明の方法２によれば、端末に対するイントラセル干渉及びセル間干渉を測定するためのミューティングパターンであってもよい。この場合、前記ミューティングパターンは前記端末に対する複数個の受信アンテナグループそれぞれに対して複数個のミューティングパターンが設定されてもよい。
【０１００】
この場合、端末が干渉を測定しながら受信アンテナグループから送信される信号を測定しない為、前記受信アンテナグループから送信されるチャンネル状態情報基準信号の位置と前記ミューティングパターンの位置が重ならないように設定されてもよい。もし、前記ミューティングパターンが前記受信アンテナグループで送信されるチャンネル状態情報基準信号の位置と前記ミューティングパターンの位置が重なるように設定される場合、前記チャンネル状態情報基準信号と重ならない位置の無線リソースを介して干渉が特定される。
【０１０１】
前記では端末の制御器１１１０が干渉測定の全般的な過程を制御することを仮定して記述したが、下記のように別途の機能ブロックを介して干渉を測定することもできる。
【０１０２】
これを実行するため、制御器１１１０は基地局から受信された無線信号を装置１１００のデマルチプレクサー（ｄｅｍｕｌｔｉｐｌｅｘｏｒ）に入力する。すると、デマルチプレクサー１１００は受信アンテナグループから送信されたＣＳＩ−ＲＳ、干渉測定用信号、さらにその他信号で分離する。前記受信アンテナグループから送信されたＣＳＩ−ＲＳは装置１１２０のＣＳＩ−ＲＳ 受信機に入力されて受信信号の強度が測定される。
【０１０３】
一方、干渉測定用信号は装置１１３０の干渉受信機に入力されて干渉受信機は干渉の大きさ及び特性を把握する。前記装置１１２０及び１１３０は受信信号の強度及び干渉関連情報を装置１１５０のチャンネル状態情報生成器に入力して装置１１５０のチャンネル状態情報生成器は基地局で通報されたフィードバック関連情報に基づいて基地局で送信するチャンネル状態情報を生成する。前記装置１１５０で生成されたチャンネル状態情報は装置１１６０のチャンネル状態情報送信機に入力されて基地局に送信される。
【符号の説明】
【０１０４】
１１１０    制御部
１１００    デマルチプレクサー
１１２０    ＣＳＩ−ＲＳ信号受信機
１１３０    干渉受信機
１１４０    他の信号受信機
１１５０    チャンネル状態情報生成器
１１６０    ＣＳＩ送信機
【図１】
2018101983.tif 000005
【図２】
2018101983.tif 000006
【図３】
2018101983.tif 000007
【図４】
2018101983.tif 000008
【図５】
2018101983.tif 000009
【図６】
2018101983.tif 000010
【図７】
2018101983.tif 000011
【図８】
2018101983.tif 000012
【図９】
2018101983.tif 000013
【図１０】
2018101983.tif 000014
【図１１】
2018101983.tif 000015